(57)【特許請求の範囲】
【請求項１】
塊状物を破砕することにより生じた破砕物を排出口から排出する破砕機と、
前記排出口から排出された破砕物を外部に搬送するコンベアと、
前記コンベアの搬送路に沿って形成され、前記搬送路を覆う粉塵飛散防止用カバーであって、
前記粉塵飛散防止用カバーには、前記コンベアの前記搬送路の途中に、前記コンベアの搬送方向に直交する方向の断面積が粉塵飛散防止用カバーの他の部位よりも広く形成された粉塵流速低減用カバー部が形成されている
ことを特徴とする破砕機の粉塵飛散防止用カバー。
【請求項２】
請求項１に記載の破砕機の粉塵飛散防止用カバーにおいて、
前記粉塵流速低減用カバー部は、前記コンベアの前記搬送路に沿って複数箇所に形成されている
ことを特徴とする破砕機の粉塵飛散防止用カバー。
【請求項３】
請求項１又は２に記載の破砕機の粉塵飛散防止用カバーにおいて、
前記粉塵流速低減用カバー部は、通気性の有る素材で形成されている
ことを特徴とする破砕機の粉塵飛散防止用カバー。
【請求項４】
請求項１又は２に記載の破砕機の粉塵飛散防止用カバーにおいて、
前記粉塵飛散防止用カバーには、その上端が前記粉塵飛散防止用カバーから吊り下げられるとともにその下端がコンベア上の破砕物に接触して、前記コンベア上の空間を間仕切りする柔軟な素材で形成されたカーテンが取り付けられている
ことを特徴とする破砕機の粉塵飛散防止用カバー。
【発明の詳細な説明】
【技術分野】
【０００１】
本発明は、破砕機の粉塵飛散防止用カバーに関する。更に詳しくは、破砕機から排出された破砕物をコンベアで搬送する方式の破砕機において、破砕機から排出された粉塵を周囲に飛散させないようにした破砕機の粉塵飛散防止用カバーに関する。
【背景技術】
【０００２】
岩石等の塊状物を破砕する破砕機は、高速で回転するロータ等で塊状物を破砕するため、そのブロア効果によって破砕機の排出口から粉塵が吹き出し、周囲に粉塵が飛散して環境に悪影響を与える。従来の破砕機は、破砕機の排出口近傍にダクトを接続し、ブロアでダクトを経由して粉塵を回収するようにしている。しかし、この集塵方法では、ブロアが必要なため設備費が高くなる不具合がある。
【０００３】
特許文献１に記載された破砕機の防塵カバーは、排出口から排出された破砕物を外部に搬送するコンベアに、コンベアの搬送路を覆う防塵カバーを設置し、防塵カバーに集塵ダクトを接続して粉塵を集塵機で回収するとともに、防塵カバー内に粉塵飛散防止用の水を噴射している。特許文献２に記載された破砕機の防塵装置は、排出口から排出された破砕物を外部に搬送するコンベアに、コンベアの搬送路を覆う防塵カバーを設置し、防塵カバーの開口部からファンで粉塵を吸入管に吸い込み、吸引された粉塵に噴射ノズルで水を噴射して湿潤させ、底に水が満たされた隔壁部に堆積した粉塵をコンベアに戻している。しかし、特許文献１、特許文献２に記載の破砕機の防塵手段は、集塵機やファン等が必要なため設備費が高くなる不具合がある。
【先行技術文献】
【特許文献】
【０００４】
【特許文献１】特開平７−９６２０９号公報
【特許文献２】特開２００１−３２７８２５号公報
【発明の概要】
【発明が解決しようとする課題】
【０００５】
本発明の目的は、構造が簡単で設備費が安価な破砕機の粉塵飛散防止用カバーを提供することにある。
【課題を解決するための手段】
【０００６】
前記課題は以下の手段によって解決される。
即ち、本発明１の破砕機の粉塵飛散防止用カバーは、塊状物を破砕することにより生じた破砕物を排出口から排出する破砕機と、前記排出口から排出された破砕物を外部に搬送するコンベアと、前記コンベアの搬送路に沿って形成され、前記搬送路を覆う粉塵飛散防止用カバーであって、前記粉塵飛散防止用カバーには、前記コンベアの前記搬送路の途中に、前記コンベアの搬送方向に直交する方向の断面積が粉塵飛散防止用カバーの他の部位よりも広く形成された粉塵流速低減用カバー部が形成されていることを特徴とする。
【０００７】
本発明２の破砕機の粉塵飛散防止用カバーは、本発明１において、前記粉塵流速低減用カバー部は、前記コンベアの前記搬送路に沿って複数箇所に形成されていることを特徴とする。
本発明３の破砕機の粉塵飛散防止用カバーは、本発明１又は２において、前記粉塵流速低減用カバー部は、通気性の有る素材で形成されていることを特徴とする。
本発明４の破砕機の粉塵飛散防止用カバーは、本発明１又は２において、前記粉塵飛散防止用カバーには、その上端が前記粉塵飛散防止用カバーから吊り下げられるとともにその下端がコンベア上の破砕物に接触して、前記コンベア上の空間を間仕切りする柔軟な素材で形成されたカーテンが取り付けられていることを特徴とする。
【発明の効果】
【０００８】
本発明の破砕機の粉塵飛散防止用カバーは、コンベアの搬送路の途中に断面積が広い粉塵流速低減用カバー部を形成して粉塵の流速を遅くして、コンベア上に粉塵を沈降し易くするため、粉塵の飛散が少なくて済み、構造が簡単で設備費が安価になる。
【図面の簡単な説明】
【０００９】
【図１】図１は、本発明の第１の実施の形態の粉塵飛散防止用カバーを備えた破砕機を示す全体側面図である。
【図２】図２は、図１のＰ部拡大縦断面図である。
【図３】図３は、本発明の第２の実施の形態の粉塵飛散防止用カバーを備えた破砕機を示す一部を断面した全体側面図である。
【図４】図４は、本発明の第３の実施の形態の粉塵飛散防止用カバーを備えた破砕機を示す全体側面図である。
【発明を実施するための形態】
【００１０】
以下、本発明の第１の実施の形態を図面に基づいて説明する。図１は、本発明の第１の実施の形態の粉塵飛散防止用カバーを備えた破砕機を示す全体側面図、図２は図１のＰ部拡大縦断面図である。図１から図２に示すように、本発明の第１の実施の形態の粉塵飛散防止用カバーは竪型の破砕機に適用した例である。破砕機１は、破砕機１の上端の投入口１１から岩石等の塊状物である原料を投入し、図示しない高速で回転するロータで塊状物を破砕し、破砕機１の下端の排出口１２から破砕物と粉塵を同時に排出する。
【００１１】
排出口１２から排出された破砕物は、ベルト式のコンベア２上に落下し、コンベア２によって、図１の右側から左側に搬送されて、図示しない破砕物堆積場所に運ばれる。コンベア２には、搬送路を上部から覆う４個の粉塵飛散防止用カバー３１、３２、３３、３４が、コンベア２の搬送路に沿って、図１の右側から左側に向かって取り付けられている。図１の右端の粉塵飛散防止用カバー３１の上面には、破砕機１の下端の排出口１２が挿入される開口部が形成されている。この破砕機１の排出口１２から排出された破砕物は、コンベア２の右端上に落下する。また、同時に、排出口１２から排出された粉塵は、図１の右端の粉塵飛散防止用カバー３１内に流入して、図１の二番目の粉塵飛散防止用カバー（粉塵流速低減用カバー部）３２側に流れる。
【００１２】
粉塵飛散防止用カバー３１、３２、３３、３４は、コンベア２の搬送方向に直交する方向の断面積が異なって形成されている。すなわち、図１の二番目の粉塵飛散防止用カバー（粉塵流速低減用カバー部）３２は、図１の右端の粉塵飛散防止用カバー３１よりも、コンベア２の搬送方向に直交する方向の断面積が広く形成されている。また、図１の四番目の粉塵飛散防止用カバー（粉塵流速低減用カバー部）３４は、図１の三番目の粉塵飛散防止用カバー３３よりも、コンベア２の搬送方向に直交する方向の断面積が広く形成されている。
【００１３】
従って、粉塵飛散防止用カバー（粉塵流速低減用カバー部）３２と粉塵飛散防止用カバー（粉塵流速低減用カバー部）３４に流入した粉塵は、その流速が低下する。その結果、粉塵飛散防止用カバー（粉塵流速低減用カバー部）３２と粉塵飛散防止用カバー（粉塵流速低減用カバー部）３４内での粉塵の滞留時間が長くなるため、粉塵はコンベア２上に沈降し易くなる。
【００１４】
図２に示すように、右端の粉塵飛散防止用カバー３１の上面内側には、カーテン４が吊り下げられ、カーテン４の下端が破砕物５に接触し、コンベア２上の空間を間仕切りしている。カーテン４は、ゴム等の柔軟な素材で形成されている。従って、カーテン４で粉塵の流れが妨げられるため、カーテン４を通過した粉塵の流速がさらに低下し、粉塵飛散防止用カバー（粉塵流速低減用カバー部）３２内での粉塵の滞留時間がさらに長くなるため、粉塵はコンベア２上に沈降し易くなる。
【００１５】
次に、本発明の第２の実施の形態を図面に基づいて説明する。図３は、本発明の第２の実施の形態の粉塵飛散防止用カバーを備えた破砕機を示す一部を断面した全体側面図である。本発明の第２の実施の形態の粉塵飛散防止用カバーは第１の実施の形態の粉塵飛散防止用カバーの変形例であり、第１の実施の形態と同一部品には同一番号を付し、詳細な説明は省略する。図３に示すように、コンベア２には、搬送路を覆う４個の粉塵飛散防止用カバー３１、６２、３３、３４が、コンベア２の搬送路に沿って、図３の右側から左側に向かって取り付けられている。３個の粉塵飛散防止用カバー３１、３３、３４は、第１の実施の形態と同一形状であり、二番目の粉塵飛散防止用カバー６２だけが第１の実施の形態の粉塵飛散防止用カバー３２とは形状が異なる。
【００１６】
すなわち、図３の二番目の粉塵飛散防止用カバー（粉塵流速低減用カバー部）６２は、第１の実施の形態の粉塵飛散防止用カバー（粉塵流速低減用カバー部）３２よりも、コンベア２の搬送方向に直交する方向の断面積が広く形成されている。また、右端の粉塵飛散防止用カバー３１の上面と二番目の粉塵飛散防止用カバー（粉塵流速低減用カバー部）６２の右側面上部をホース６１で接続し、右端の粉塵飛散防止用カバー３１内の粉塵を二番目の粉塵飛散防止用カバー（粉塵流速低減用カバー部）６２の上部に噴出させている。ホース６１の噴出角度θ１は、コンベア２の傾斜角度θ２よりも大きく形成されている。
【００１７】
従って、ホース６１から粉塵飛散防止用カバー（粉塵流速低減用カバー部）６２に流入した粉塵は、ホース６１から上方に噴出するため、粉塵の重力によってコンベア２上に落下し易くなる。また、粉塵飛散防止用カバー（粉塵流速低減用カバー部）６２の断面積が広くなることによって粉塵の流速が低下するため、粉塵飛散防止用カバー（粉塵流速低減用カバー部）６２内での粉塵の滞留時間が長くなるため、粉塵はコンベア２上に沈降し易くなる。四番目の粉塵飛散防止用カバー（粉塵流速低減用カバー部）３４内でも、第１の実施の形態と同様に、粉塵の滞留時間が長くなるため、粉塵はコンベア２上に沈降し易くなる。なお、ホース６１の先端に通気性のある袋を取り付けて、シルト、粘土、雲母等の微細物質はコンベア２上に戻すことなく、これを回収しても良い。
【００１８】
次に、本発明の第３の実施の形態を図面に基づいて説明する。図４は、本発明の第３の実施の形態の粉塵飛散防止用カバーを備えた破砕機を示す全体側面図である。本発明の第３の実施の形態の粉塵飛散防止用カバーは第１の実施の形態の粉塵飛散防止用カバーの変形例であり、第１の実施の形態と同一部品には同一番号を付し、詳細な説明は省略する。図４に示すように、コンベア２には、搬送路を覆う４個の粉塵飛散防止用カバー３１、７２、３３、３４が、コンベア２の搬送路に沿って、図４の右側から左側に向かって取り付けられている。３個の粉塵飛散防止用カバー３１、３３、３４は、第１の実施の形態と同一形状であり、二番目の粉塵飛散防止用カバー７２だけが第１の実施の形態の粉塵飛散防止用カバー３２とは形状が異なる。
【００１９】
すなわち、図４の二番目の粉塵飛散防止用カバー（粉塵流速低減用カバー部）７２は、図４の右端の粉塵飛散防止用カバー３１よりも、コンベア２の搬送方向に直交する方向の断面積が広く形成されている。また、二番目の粉塵飛散防止用カバー（粉塵流速低減用カバー部）７２は、布等の通気性の有る素材で形成されている。
【００２０】
従って、粉塵飛散防止用カバー（粉塵流速低減用カバー部）７２に流入した粉塵は、布等の隙間から空気が外部に抜け出すため、粉塵の流速が遅くなり、かつ、布等で粉塵が濾過されるため、粉塵の重力によってコンベア２上に落下し易くなる。また、粉塵飛散防止用カバー（粉塵流速低減用カバー部）７２の断面積が広くなることによって粉塵の流速が低下するため、粉塵飛散防止用カバー（粉塵流速低減用カバー部）７２内での粉塵の滞留時間が長くなるため、粉塵はコンベア２上に沈降し易くなる。四番目の粉塵飛散防止用カバー（粉塵流速低減用カバー部）３４内でも、第１の実施の形態と同様に、粉塵の滞留時間が長くなるため、粉塵はコンベア２上に沈降し易くなる。
【００２１】
本発明の実施の形態では、コンベアの搬送路の途中に断面積が広い粉塵流速低減用カバー部を形成して粉塵の流速を遅くして、コンベア上に粉塵を沈降し易くするため、粉塵の飛散が少なくて済み、構造が簡単で設備費が安価になる。
【００２２】
以上、本発明の実施例を説明したが、本発明はこの実施例に限定されることはない。例えば、前述した実施の形態では、コンベアの搬送路に２個の粉塵流速低減用カバー部を形成した例について説明したが、粉塵流速低減用カバー部は１個または２個以上形成してもよい。また、前述した実施の形態では、コンベア上の空間を間仕切りする柔軟な素材のカーテンを１個取り付けた例について説明したが、複数個取り付けてもよい。さらに、前述した実施の形態では、粉塵流速低減用カバー部全体を通気性の有る素材で形成した例について説明したが、粉塵流速低減用カバー部の一部を通気性の有る素材で形成してもよい。また、前述した実施の形態では、粉塵を全てコンベア上に戻しているが、別の排出口も設けて分離したものでもよいる。
【符号の説明】
【００２３】
１  …破砕機
１１…投入口
１２…排出口
２  …コンベア
３１…粉塵飛散防止用カバー
３２…粉塵飛散防止用カバー（粉塵流速低減用カバー部）
３３…粉塵飛散防止用カバー
３４…粉塵飛散防止用カバー（粉塵流速低減用カバー部）
４  …カーテン
５  …破砕物
６１…ホース
６２…粉塵飛散防止用カバー（粉塵流速低減用カバー部）
７２…粉塵飛散防止用カバー（粉塵流速低減用カバー部）
【要約】
【課題】構造が簡単で設備費が安価な破砕機の粉塵飛散防止用カバーを提供する。
【解決手段】粉塵飛散防止用カバー（粉塵流速低減用カバー部）３２と粉塵飛散防止用カバー（粉塵流速低減用カバー部）３４に浸入した粉塵は、その流速が低下する。その結果、粉塵飛散防止用カバー（粉塵流速低減用カバー部）３２と粉塵飛散防止用カバー（粉塵流速低減用カバー部）３４内での粉塵の滞留時間が長くなるため、粉塵はコンベア２上に沈降し易くなる。
【選択図】図１【図１】
0005879423.tif 000002
【図２】
0005879423.tif 000003
【図３】
0005879423.tif 000004
【図４】
0005879423.tif 000005